(57)【要約】【課題】携帯端末において、広告掲載サイトに掲載された広告の成果をより具体的に判定することを可能とする。【解決手段】１以上の広告掲載サイト２と、広告掲載サイト２にリンクされた１以上の広告主サイト３と、広告掲載料の課金管理を行う管理サーバ４とからなり、広告主サイト３は、広告掲載サイト２に掲載された広告を経由して広告主サイト３にアクセスしたユーザーにセッションＩＤを割り当て、ユーザーの活動状況ログを取得する活動状況ログ取得手段と、活動状況ログを管理サーバ４に送信する活動状況ログ送信手段とを備え、管理サーバ４は、広告主サイト３から活動状況ログを受信する活動状況ログ受信手段と、受信した活動状況ログを格納する活動状況ログ格納手段と、格納した活動状況ログを分析して所定の成果条件が成立したか否かを判定する成果条件判定手段と、成立した成果条件を記録する成果情報記録手段とを備える構成とした。【選択図】図１
2009020845.tif 000002
【特許請求の範囲】
【請求項１】
ユーザーの使用する携帯端末を対象として配信される広告に対する広告成果管理システムであって、
１以上の広告掲載サイトと、広告掲載サイトにリンクされた１以上の広告主サイトと、
広告掲載料の課金管理を行う管理サーバとからなり、
広告主サイトは、広告掲載サイトに掲載された広告を経由して広告主サイトにアクセスしたユーザーにセッションＩＤを割り当て、ユーザーの活動状況ログを取得する活動状況ログ取得手段と、
活動状況ログを管理サーバに送信する活動状況ログ送信手段とを備え、
管理サーバは、広告主サイトから活動状況ログを受信する活動状況ログ受信手段と、
受信した活動状況ログを格納する活動状況ログ格納手段と、
格納した活動状況ログを分析して所定の成果条件が成立したか否かを判定する成果条件判定手段と、
成立した成果条件を記録する成果情報記録手段とを備えることを特徴とする広告成果管理システム。
【請求項２】
前記活動状況ログは広告主サイトにおいてユーザーがアクセスしたページのＵＲＬとユーザーの各アクセスの時刻情報を含むものであって、
前記成果条件判定手段は、セッションＩＤによって特定されたユーザーの広告主サイトにおける特定のページへのアクセスと他のページへのアクセスの時間差が所定の時間以上である場合に成果条件成立とする請求項１記載の広告成果管理システム。  
【請求項３】
前記活動状況ログは広告主サイトにおいてユーザーがアクセスしたページのＵＲＬを含むものであって、
前記成果条件判定手段は、セッションＩＤによって特定されたユーザーが広告主サイトにおいてアクセスしたページ数を計数し、
アクセスしたページ数が所定のページ数に達した場合に成果条件成立とする請求項１又は２記載の広告成果管理システム。
【請求項４】
前記活動状況ログは広告主サイトにおいてユーザーがアクセスしたページのＵＲＬを含むものであって、
前記成果条件判定手段は、セッションＩＤによって特定されたユーザーが広告主サイトにおいてアクセスしたページが重複しているか否かを分析し、
重複するページを除いたアクセスページ数を計数し、
重複するページを除いたページ数が所定のページ数に達した場合に成果条件成立とする請求項１又は２記載の広告成果管理システム。
【請求項５】
前記活動状況ログは広告主サイトにおいてユーザーがアクセスしたページのＵＲＬを含むものであって、
前記成果条件判定手段は、セッションＩＤによって特定されたユーザーが１以上の特定のページ全てにアクセスした場合に成果条件成立とする請求項１乃至４のいずれかに記載の広告成果管理システム。
【請求項６】
前記活動状況ログはユーザーが使用する携帯端末の固体識別番号を含むものであって、
前記成果判定手段は、セッションＩＤによって特定されたユーザーにおいて過去に成立していない成果条件が成立し、かつ同じ固体識別番号でない場合にのみ成果条件成立とする請求項１乃至５のいずれかに記載の広告成果管理システム。
【請求項７】
ユーザーの使用する携帯端末を対象として配信される広告に対する広告成果管理装置であって、
１以上の広告掲載サイトと、広告掲載サイトにリンクされた１以上の広告主サイトと、
広告掲載料の課金管理を行う管理サーバとからなり、
広告主サイトは、広告掲載サイトに掲載された広告を経由して広告主サイトにアクセスしたユーザーにセッションＩＤを割り当て、ユーザーの活動状況ログを取得する活動状況ログ取得手段と、
活動状況ログを管理サーバに送信する活動状況ログ送信手段とを備え、
管理サーバは、広告主サイトから活動状況ログを受信する活動状況ログ受信手段と、
受信した活動状況ログを格納する活動状況ログ格納手段と、
格納した活動状況ログを分析して所定の成果条件が成立したか否かを判定する成果条件判定手段と、
成立した成果条件を記録する成果情報記録手段とを備えることを特徴とする広告成果管理装置。
【請求項８】
ユーザーの使用する携帯端末を対象として配信される広告に対する広告成果管理方法であって、
１以上の広告掲載サイトと、広告掲載サイトにリンクされた１以上の広告主サイトと、
広告掲載料の課金管理を行う管理サーバとを含み、
広告主サイトは、広告掲載サイトに掲載された広告を経由して広告主サイトにアクセスしたユーザーにセッションＩＤを割り当て、ユーザーの活動状況ログを取得するステップと、
活動状況ログを管理サーバに送信するステップとを備え、
管理サーバは、広告主サイトから活動状況ログを受信するステップと、
受信した活動状況ログを格納するステップと、
格納した活動状況ログを分析して所定の成果条件が成立したか否かを判定するステップと、
成立した成果条件を記録するステップとを備えることを特徴とする広告成果管理方法。
【発明の詳細な説明】
【技術分野】
【０００１】
本発明は、携帯端末を対象として配信される広告に対する成果の管理を行う広告成果管理システム、広告成果管理装置及び広告成果管理方法に関する。
【背景技術】
【０００２】
インターネット上で商用サイトへのアクセスを増大させる手法として、広告掲載サイトに広告を掲載する手法が年々増大している。広告掲載サイトには、広告主サイトの商品説明ページや購入ページ等へのリンクが張られた広告コンテンツが掲載され、広告掲載サイトにアクセスしたユーザーが広告コンテンツをクリックするなどしてリンクを指示すると、広告主サイトの商品説明ページや購入ページ等にアクセスできる。
【０００３】
広告掲載サイトを運営する企業又は個人から広告主への広告料金の設定に関しては、（１）期間保証型、（２）クリック保証型、（３）広告成果型等がある。期間保証型は広告を表示する期間に応じて課金される方式、クリック保証型は広告掲載サイトに表示された広告がクリックされた回数に応じて課金される方式、広告成果型は広告を経由して商品購入や会員登録等の成果が生じた場合にはじめて課金される方式である（特許文献１）。
【０００４】
このうち（１）、（２）の課金方式では、広告期間やクリック回数のみで広告費用が発生するのに対し、（３）の課金方式では商品購入や会員登録等の成果が生じた場合にはじめて広告費用が発生するため、広告成果型の課金方式が近年注目されている。
【０００５】
広告成果型の課金方式に基づいて課金するためには、商品購入や会員登録の発生起源となった広告掲載サイトや広告コンテンツを特定し、ユーザーが最終的に商品購入や会員登録を行うまでの情報流通経路を追跡することが必要となる。
【０００６】
情報流通経路を追跡するシステムとしては、パーソナルコンピュータ（ＰＣ）のブラウザであれば、アクセスしたＷｅｂサイト内でのブラウザのＷｅｂページ遷移などの一連のセッションを、Ｃｏｏｋｉｅにより管理することができる。
【０００７】
利用者の設定によりＣｏｏｋｉｅを受け入れないようにしている場合は、ＷＷＷサーバは、アクセスしてきたブラウザ端末のＩＰアドレスが取得でき、このＩＰアドレスによってブラウザ端末を識別・管理することができる（特許文献２）。
【特許文献１】特開２００２−１３３２８２
【特許文献２】特開２００２−１１７３１８
【特許文献３】特開２００６−２５９９８３
【発明の開示】
【発明が解決しようとする課題】
【０００８】
しかしながら、携帯端末を対象とした広告掲載サイトにおいては、ユーザー層や利用形態がＰＣと大きく異なるため、例えば自動車などの高額商品を対象とした場合では、なかなか成果に結びつかないため、（３）の課金方式では効果的に課金を行うことができないという問題がある。
【０００９】
さらに、携帯端末を対象とした広告掲載サイトにおいては、技術的な仕様がＰＣと大きく異なり、ＣｏｏｋｉｅやＩＰアドレスによるセッション管理ができないため、（３）のような広告成果型に基づく課金方式を実現するために、広告主サイトにおいてパラメータを使って追跡するなどの方法をとっている。
【００１０】
広告主サイトにおいてパラメータを使って追跡する方法に関して、特許文献３には、特定の移動体通信業者に加入している携帯端末の固体識別番号を利用して情報流通経路を追跡するシステムが記載されているが、固体識別番号は移動体通信業者によっては、通知、非通知の選択ができるため、ユーザーが固体識別番号を通知しない設定にしている場合は、情報流通経路を追跡することができないという問題がある。
【００１１】
一方、（２）の課金方式ではクリックのみで広告費用が発生し、ユーザーが実際に広告主のサイトを見ていない場合でも広告費用が発生し得るため、ユーザーが広告主のページを見ているのかどうか判断できず、ユーザーが広告主サイトのどのページにアクセスしたか、どのページに興味を持ったのか把握し、それを成果として課金を行うことができないという問題がある。
【００１２】
本発明は、かかる問題点に鑑みてなされたものであり、携帯端末において広告掲載サイトの広告の成果をより具体的に判定することを可能とする広告成果管理システム、広告成果管理装置及び広告成果管理方法に関する。
【課題を解決するための手段】
【００１３】
本発明にかかる広告成果管理システムは、ユーザーの使用する携帯端末を対象として配信される広告に対する広告成果管理システムであって、１以上の広告掲載サイトと、広告掲載サイトにリンクされた１以上の広告主サイトと、広告掲載料の課金管理を行う管理サーバとからなり、広告主サイトは、広告掲載サイトに掲載された広告を経由して広告主サイトにアクセスしたユーザーにセッションＩＤを割り当て、ユーザーの活動状況ログを取得する活動状況ログ取得手段と、活動状況ログを管理サーバに送信する活動状況ログ送信手段とを備え、管理サーバは、広告主サイトから活動状況ログを受信する活動状況ログ受信手段と、受信した活動状況ログを格納する活動状況ログ格納手段と、格納した活動状況ログを分析して所定の成果条件が成立したか否かを判定する成果条件判定手段と、成立した成果条件を記録する成果情報記録手段とを備える構成とした。
【００１４】
このような構成により、広告掲載サイトに掲載された広告を経由して広告主サイトにアクセスしたユーザーの活動状況ログを取得し、分析することができるため、商品購入や会員登録を目的としない場合でも成果として設定することができ、広告主サイト閲覧という行為に対して、より具体的で効果的な課金を行うことができる。
【００１５】
また本発明にかかる広告成果管理システムは、前記活動状況ログは広告主サイトにおいてユーザーがアクセスしたページのＵＲＬとユーザーの各アクセスの時刻情報を含むものであって、前記成果条件判定手段は、セッションＩＤによって特定されたユーザーの広告主サイトにおける特定のページへのアクセスと他のページへのアクセスの時間差、すなわち、特定のページへの滞在時間が所定の時間以上である場合に成果条件成立とすることができる。
【００１６】
このような構成により、広告主サイトの特定のページにユーザーが滞在した時間によって広告の成果を設定することができるため、ユーザーがどのページに興味を持ったかどうかを把握し、成果として課金することが可能となる。
【００１７】
また特定のページが複数設定されている場合は、複数の特定のページへの滞在時間の合計が成果となる。複数のページを特定することによってユーザーが滞在した時間の合計によって広告の成果を設定することができるため、ユーザーがどのページ群に興味を持ったかどうかを把握し、成果として課金することが可能となる。  
【００１８】
また本発明にかかる広告成果管理システムは、前記活動状況ログは広告主サイトにおいてユーザーがアクセスしたページのＵＲＬを含むものであって、前記成果条件判定手段は、セッションＩＤによって特定されたユーザーが広告主サイトにおいてアクセスしたページ数を計数し、アクセスしたページ数が所定のページ数に達した場合に成果条件成立とすることができる。
【００１９】
このような構成により、広告主サイトにおいてユーザーがアクセスしたページ数に応じて課金条件を設定することができるため、ユーザーが広告主サイトにどの程度興味を持ったかどうかを把握し、成果として課金することができる。
【００２０】
また本発明にかかる広告成果管理システムは、前記活動状況ログは広告主サイトにおいてユーザーがアクセスしたページのＵＲＬを含むものであって、前記成果条件判定手段は、セッションＩＤによって特定されたユーザーが広告主サイトにおいてアクセスしたページが重複しているか否かを分析し、重複するページを除いたアクセスページ数を計数し、重複するページを除いたページ数が所定のページ数に達した場合に成果条件成立とすることができる。
【００２１】
このような構成により、広告主サイトにおいてユーザーがアクセスしたページ数から一度見たページは排除して成果条件を設定することができるため、より実質的なページ数に応じて課金することができる。
【００２２】
また本発明にかかる広告成果管理システムは、前記活動状況ログは広告主サイトにおいてユーザーがアクセスしたページのＵＲＬを含むものであって、前記成果条件判定手段は、セッションＩＤによって特定されたユーザーが１以上の特定のページ全てにアクセスした場合に成果条件成立とするとすることができる。
【００２３】
このような構成により、広告主が設定した特定のページ全てにアクセスした場合に成果条件を成立させることができるため、見てほしいページにユーザーがアクセスしたかどうかを把握し、成果として課金することができる。
【００２４】
また本発明にかかる広告成果管理システムは、前記活動状況ログはユーザーが使用する携帯端末の固体識別番号を含むものであって、前記成果判定手段は、セッションＩＤによって特定されたユーザーにおいて過去に成立していない成果条件が成立し、かつ同じ固体識別番号でない場合にのみ成果条件成立とすることができる。
【００２５】
このような構成により、ユーザーが使用する携帯端末の固体識別番号を取得することにより、同じ携帯端末が同じ成果条件を成立させた場合を除き、成果条件成立とすることができるため、過去に成果をあげたことのない携帯端末に限定して課金することができる。
【００２６】
また、以上の成果条件はそれぞれ組み合わせることが可能である。
【００２７】
さらに、本発明にかかる広告成果管理装置は、ユーザーの使用する携帯端末を対象として配信される広告に対する広告成果管理装置であって、１以上の広告掲載サイトと、広告掲載サイトにリンクされた１以上の広告主サイトと、広告掲載料の課金管理を行う管理サーバとからなり、広告主サイトは、広告掲載サイトに掲載された広告を経由して広告主サイトにアクセスしたユーザーにセッションＩＤを割り当て、ユーザーの活動状況ログを取得する活動状況ログ取得手段と、活動状況ログを管理サーバに送信する活動状況ログ送信手段とを備え、管理サーバは、広告主サイトから活動状況ログを受信する活動状況ログ受信手段と、受信した活動状況ログを格納する活動状況ログ格納手段と、格納した活動状況ログを分析して所定の成果条件が成立したか否かを判定する成果条件判定手段と、成立した成果条件を記録する成果情報記録手段とを備えることを特徴とする広告成果管理装置とした。
【００２８】
さらに、本発明にかかる広告成果管理方法は、ユーザーの使用する携帯端末を対象として配信される広告に対する広告成果管理方法であって、１以上の広告掲載サイトと、広告掲載サイトにリンクされた１以上の広告主サイトと、広告掲載料の課金管理を行う管理サーバとを含み、広告主サイトは、広告掲載サイトに掲載された広告を経由して広告主サイトにアクセスしたユーザーにセッションＩＤを割り当て、ユーザーの活動状況ログを取得するステップと、活動状況ログを管理サーバに送信するステップとを備え、管理サーバは、広告主サイトから活動状況ログを受信するステップと、受信した活動状況ログを格納するステップと、格納した活動状況ログを分析して所定の成果条件が成立したか否かを判定するステップと、成立した成果条件を記録するステップとを備えることを特徴とする広告成果管理方法とした。
【発明の効果】
【００２９】
本発明によれば、広告掲載サイトを経由して広告主サイトにアクセスしたユーザーの滞在時間やアクセスしたページが把握できるため、ユーザーが広告主サイトのどのページにアクセスしたのか、どのページに興味を持ったのかを成果として課金を行うことができる。
【発明を実施するための最良の形態】
【００３０】
以下、図面を参照して本発明の実施の形態を説明する。図１は本発明に係る広告成果管理システムの全体構成を示す図である。
【００３１】
図１において、携帯端末１、広告掲載サイト２、広告主サイト３、管理サーバ４がインターネットに接続されている。
【００３２】
広告掲載サイト２は携帯端末１を広告主サイト３へアクセスさせるためのリンクが設定されたＷｅｂページを公開している。広告主サイトはインターネット上のＷｅｂサイト又は移動体通信事業者の公式サイトである。携帯端末１は、広告掲載サイト２のＷｅｂページを、そのＵＲＬを指定することによりインターネットを介して閲覧することができる。
【００３３】
広告掲載サイト２のＷｅｂページを閲覧している携帯端末１で広告コンテンツがクリックされれば、携帯端末１は広告主サイト３へと接続され、携帯端末１にＷｅｂページが表示される。
【００３４】
広告主サイト３には活動状況報告モジュール５がインストールされており、活動状況報告モジュール５が、広告掲載サイト２を経由して広告主サイト３にアクセスしたユーザーにセッションＩＤを割り当て、管理サーバ４にユーザーの活動状況ログを送信する。
【００３５】
管理サーバ４は、ログ格納データベース（ＤＢ）６と成果格納データベース（ＤＢ）７を備えており、広告主サイト３から活動状況ログが送信されると、管理サーバ４は活動状況ログを受信し、ログ格納ＤＢ６に格納する。
【００３６】
管理サーバ４は、ログ格納ＤＢ６に蓄積された活動状況ログを分析し、広告主と配信運営業者との間で定められた成果条件が成立したと判定すると、成果格納ＤＢ７に成果情報を記録する。
【００３７】
成果情報は、成果格納ＤＢ７に記録するのではなく、別途成果格納サーバをもうけ、成果格納サーバに送信してもよい。
【００３８】
配信運営業者は、広告主と広告掲載サイト運営企業又は個人との広告掲載に関する契約を仲介しており、成果条件は広告主ごとに設定することができる。
【００３９】
管理サーバ４を運営する配信運営業者は、成果格納ＤＢ７に記録された成果情報にもとづき広告料を計算する。
【００４０】
次に、ユーザーに割り当てられるセッションＩＤの生成方法を説明する。広告掲載サイト２を経由した広告主サイトのＵＲＬには、広告掲載サイト２を識別するためのキャンペーンパラメータが埋め込まれており、広告掲載サイト２の広告コンテンツから広告主サイトのＵＲＬがリクエストされると、活動状況報告モジュール５がセッションＩＤを生成する。ユーザーが広告掲載サイト２の広告コンテンツから広告主サイトのＵＲＬをリクエストすると、活動状況報告モジュール５がリクエストされたページのＨＴＭＬデータを取り出し、広告主サイトＩＤと、セッションＩＤをＨＴＭＬデータの一部に埋め込む。
【００４１】
広告主サイトＩＤは広告主ごとに固有に割り当てられ、活動状況モジュール５の持つ広告主サイトＩＤによりどの広告主サイトから送られてきたログなのか判別できる。
【００４２】
セッションＩＤは、広告掲載サイト２を経由して広告主サイト３にユーザーがアクセスすると活動状況報告モジュール５によって自動的に生成される。広告掲載サイト２を経由して広告主サイト３にアクセスするたびに異なるセッションＩＤが生成される。
【００４３】
さらに、広告主サイト３にアクセスしたユーザーのＨＴＴＰリクエストのヘッダ情報中に環境変数「HTTP_X_UP_SUBNO」などの指定・記述された自身の固体識別番号がある場合は、固体識別番号を取得する。
【００４４】
活動状況報告モジュール５はユーザーが広告主サイト内のページにアクセスするごとにログを作成し、活動状況ログとして広告主サイトＩＤ、広告主サイトのＵＲＬ、セッションＩＤ、キャンペーンパラメータ、固体識別番号（取得できた場合）、ログ取得時刻を管理サーバ４に送信し、携帯端末１にＨＴＭＬデータを送信する。
【００４５】
ユーザーの携帯端末１には広告主サイトＩＤとセッションＩＤが埋め込まれたページが表示されるが、ページの見た目は変わらない。
【００４６】
なお、活動状況報告モジュール５はインストールするのではなく、広告主が自力で作成してもよい。
【００４７】
管理サーバ４は広告主サイト３の活動状況報告モジュール５により送信されたログと、ログ受信時刻をログ格納ＤＢ６に格納する。
【００４８】
以下、成果条件判定手段の具体例を、図２〜１０に示すフローチャートに基づいて具体的に説明する。図２〜１０において、Ｓはステップを示す。
（１）管理サーバ４は、ログ格納ＤＢ６に蓄積されたログから、セッションＩＤをもとに追跡中のユーザーの活動状況ログだけを取り出し（Ｓ１）、広告主が設定した成果対象ページのログと、成果対象ページから移動したページのログがあり（Ｓ２、Ｓ３）、成果対象ページのログ取得時刻と成果対象ページから移動したページのログ取得時刻との差から、成果対象ページの滞在時間が所定の時間以上であれば（Ｓ４）、成果条件成立として成果格納ＤＢ７に成果情報を記録する（Ｓ５）。
【００４９】
成果対象ページは、広告掲載サイトからリンクされたページに設定することもできるし、広告主サイト中の任意のページに設定することもできる。また、１ページでもよいし、複数ページでもよい。
【００５０】
成果対象ページおよび滞在時間は、広告主ごとに設定することができる。例えば２ページ目を成果対象ページとし、滞在時間を３分以上と設定すれば、ユーザーが２ページ目に３分以上滞在した場合に成果条件が成立する。これにより、広告主はユーザーが広告主サイトの２ページ目に興味を持ったことを把握することができる。
【００５１】
また、1ページ目と３ページ目を成果対象ページとし、それぞれの滞在時間の合計を５分以上と設定（Ｓ１７）すれば、１ページ目に１分（Ｓ１２、Ｓ１３）、３ページ目に４分（Ｓ１４、Ｓ１５）滞在した場合にも、１ページ目に３分、３ページ目に２分滞在した場合にも成果条件が成立（Ｓ１７）する。
【００５２】
これにより、ユーザーがどのページ群に興味を持ったかを把握することが出来る。さらに、ユーザーが広告主サイトに興味を持ったという広告効果を確認した上で広告料を支払うことができる。
【００５３】
なお、活動状況報告モジュール５がユーザーの携帯端末１の固体識別番号を取得した場合、管理サーバ４は、ログ格納ＤＢ６に蓄積されたログから、セッションＩＤをもとに追跡中のユーザーの活動状況ログだけを取り出し（Ｓ２１）、広告主が設定した成果対象ページのログと、成果対象ページから移動したページのログがあり（Ｓ２２、Ｓ２３）、成果対象ページのログ取得時刻と成果対象ページから移動したページのログ取得時刻との差から、成果対象ページの滞在時間が所定の時間以上であって（Ｓ２４）、成果情報記録に同じ成果条件で同じ固体識別番号の成果情報記録がない場合にのみ（Ｓ２５、Ｓ２６）、成果条件成立として成果格納ＤＢ７に成果情報を記録する（Ｓ２７）ことができる。
【００５４】
これにより、同じ携帯端末を持つユーザーが過去に広告主サイトの同じページに所定の時間アクセスした場合を除いて成果条件成立とすることができる。
【００５５】
なお、活動状況報告モジュール５がユーザーの携帯端末１の固体識別番号を取得した場合、管理サーバ４は、ログ格納ＤＢ６に蓄積されたログから、セッションＩＤをもとに追跡中のユーザーの活動状況ログだけを取り出し（Ｓ２１１）、広告主が設定した成果対象ページのログと、成果対象ページから移動したページのログがあり（Ｓ２１２、Ｓ２１３）、成果対象ページのログ取得時刻と成果対象ページから移動したページのログ取得時刻との差から、成果対象ページの滞在時間を算出し、指定された全てのページの滞在時間の合計が所定の時間以上であって（Ｓ２１４、Ｓ２１５）、成果情報記録に同じ成果条件で同じ固体識別番号の成果情報記録がない場合にのみ（Ｓ２１６、Ｓ２１７）、成果条件成立として成果格納ＤＢ７に成果情報を記録する（Ｓ２１８）ことができる。
【００５６】
これにより、同じ携帯端末を持つユーザーが過去に広告主サイトの同じ複数のページに所定の時間アクセスした場合を除いて成果条件成立とすることができる。  
（２）管理サーバ４は、ログ格納ＤＢ６に蓄積されたログから、セッションＩＤをもとに追跡中のユーザーの活動状況ログだけを取り出し（Ｓ３１）、所定のページ数のログがあれば成果条件成立として成果格納ＤＢ７に成果情報を記録する（Ｓ３２、Ｓ３３）。
【００５７】
成果成立ページ数は１ページでもよいし、複数ページでもよい。また、広告主ごとに成果成立ページ数を設定することができる。
【００５８】
例えば、成果成立ページ数を３ページとした場合、３ページ分のログがあれば成果条件が成立し、広告費用が発生する。これにより、広告主はユーザーが広告主サイトに興味を持ったという広告効果を確認した上で広告料を支払うことができる。
【００５９】
なお、活動状況報告モジュール５がユーザーの携帯端末１の固体識別番号を取得した場合、管理サーバ４は、ログ格納ＤＢ６に蓄積されたログから、セッションＩＤをもとに追跡中のユーザーの活動状況ログだけを取り出し、所定のページ数のログがあって、成果情報記録に同じ成果条件で同じ固体識別番号の成果情報記録がない場合にのみ、成果条件成立として成果格納ＤＢ７に成果情報を記録することができる。
【００６０】
これにより、同じ携帯端末を持つユーザーが過去に同じ条件で広告主サイトにアクセスした場合を除いて成果条件成立とすることができる。
（３）管理サーバ４は、ログ格納ＤＢ６に蓄積されたログから、セッションＩＤをもとに追跡中のユーザーの活動状況ログを参照し、同じページのログは取得しないという条件で活動状況ログを取り出す（Ｓ４１）。所定のページ数のログがあれば成果条件成立として成果格納ＤＢ７に成果情報を記録する（Ｓ４２、Ｓ４３）。
【００６１】
成果成立ページ数は１ページでもよいし、複数ページでもよい。また、広告主ごとに成果成立ページ数を設定することができる。例えば、成果成立ページ数を３ページとした場合、２ページ目、３ページ目、２ページ目のログがあっても成果条件は成立しないが、２ページ目、３ページ目、４ページ目のログがあれば成果条件が成立し、広告費用が発生する。重複したページを除いて成果とすることができるため、より実質的な成果条件を設定することができる。
【００６２】
なお、活動状況報告モジュール５がユーザーの携帯端末１の固体識別番号を取得した場合、管理サーバ４は、ログ格納ＤＢ６に蓄積されたログから、セッションＩＤをもとに追跡中のユーザーの活動状況ログを参照し、同じページのログは取得しないという条件で、活動状況ログを取り出す。所定のページ数のログがあって、成果情報記録に同じ成果条件で同じ固体識別番号の成果情報記録がない場合にのみ、成果条件成立として成果格納ＤＢ７に成果情報を記録することができる。
【００６３】
これにより、同じ携帯端末を持つユーザーが過去に同じ条件で広告主サイトにアクセスした場合を除いて成果条件成立とすることができる。
（４）管理サーバ４は、ログ格納ＤＢ６に蓄積されたログから、セッションＩＤをもとに追跡中のユーザーの活動状況ログだけを取り出し（Ｓ５１）、指定されたすべてのページのログがあれば成果条件成立として成果格納ＤＢ６に成果情報を記録する（Ｓ５２、Ｓ５３）。
【００６４】
成果対象ページは１ページでも複数ページでもよく、広告主サイト中の任意のページに設定することができる。例えば、１から１０までのページがある場合に、１、２、３ページと設定することもできるし、１、６ページと設定することもできるし、１〜１０の全てのページと設定することができる。
【００６５】
また、成果対象ページは広告主ごとに設定することができる。例えば、成果対象ページをヒット商品紹介ページと最新情報ページに指定すれば、見てほしいページにユーザーがアクセスした場合を成果として設定することができ、見てほしいページにアクセスしたという広告効果を確認した上で広告料を支払うことができる。
【００６６】
なお、活動状況報告モジュール５がユーザーの携帯端末１の固体識別番号を取得した場合、管理サーバ４は、ログ格納ＤＢ６に蓄積されたログから、セッションＩＤをもとに追跡中のユーザーの活動状況ログだけを取り出し（Ｓ６１）、指定されたすべてのページのログがあって（Ｓ６２）、成果情報記録に同じ成果条件で同じ固体識別番号の成果情報記録がない場合にのみ（Ｓ６３，Ｓ６４）、成果条件成立として成果格納ＤＢ７に成果情報を記録する（Ｓ６５）ことができる。
【００６７】
これにより、同じ携帯端末を持つユーザーが過去に同じ条件で広告主サイトにアクセスした場合を除いて成果条件成立とすることができる。
（５）（１）〜（４）の成果条件をそれぞれ組み合わせて成果条件成立とすることもできる。例えば、（１）と（２）を組み合わせた場合、管理サーバ４は、ログ格納ＤＢ６に蓄積されたログから、セッションＩＤをもとに追跡中のユーザーの活動状況ログだけを取り出し（Ｓ７１）、広告主が設定した成果対象ページのログと、成果対象ページから移動したページのログがあって（Ｓ７２、Ｓ７３）、成果対象ページのログ取得時刻と成果対象ページから移動したページのログ取得時刻との差から、成果対象ページの滞在時間が所定の時間以上であり（Ｓ７４）、かつ所定のページ数のログがあれば（Ｓ７５）成果条件成立として成果格納ＤＢ７に成果情報を記録する（Ｓ７６）。  
【００６８】
例えば、成果対象ページを２ページ目、滞在時間を３分以上、成果対象ページ数を３ページと設定すれば、ユーザーが２ページ目に３分以上滞在し、かつ１ページ目、３ページ目にアクセスした場合に成果条件成立とすることができる。
【００６９】
これにより、広告主はユーザーがどのページにどれだけ滞在したか、広告主サイトにどの程度興味を持ったかを把握することができ、広告効果を確認した上で広告料を支払うことができる。
【図面の簡単な説明】
【００７０】
【図１】本発明の実施の形態に係る広告成果管理システムの構成図である。
【図２】本発明の実施の形態に係る成果条件判定手段の具体例（１）を示すフローチャートである。
【図３】同じく成果条件判定手段の具体例（１）を示すフローチャートである。
【図４】同じく成果条件判定手段の具体例（１）を示すフローチャートである。
【図５】同じく成果条件判定手段の具体例（１）を示すフローチャートである。
【図６】同じく成果条件判定手段の具体例（２）を示すフローチャートである。
【図７】同じく成果条件判定手段の具体例（３）を示すフローチャートである。
【図８】同じく成果条件判定手段の具体例（４）を示すフローチャートである。
【図９】同じく成果条件判定手段の具体例（４）を示すフローチャートである。
【図１０】同じく成果条件判定手段の具体例（５）を示すフローチャートである。
【符号の説明】
【００７１】
１  携帯端末
２  広告掲載サイト
３  広告主サイト
４  管理サーバ
５  活動状況報告モジュール
６  ログ格納ＤＢ
７  成果格納ＤＢ
【図１】
2009020845.tif 000003
【図２】
2009020845.tif 000004
【図３】
2009020845.tif 000005
【図４】
2009020845.tif 000006
【図５】
2009020845.tif 000007
【図６】
2009020845.tif 000008
【図７】
2009020845.tif 000009
【図８】
2009020845.tif 000010
【図９】
2009020845.tif 000011
【図１０】
2009020845.tif 000012